(57)【要約】【課題】長時間の継続使用が可能な使い勝手の良い水中カイロを提供する。【解決手段】使いすてカイロ本体Ａを収容する収容部並びに前記収容部に使いすてカイロ本体Ａを挿入及び前記収容部から使いすてカイロ本体Ａを取出し可能な開口部Ｃを有するとともに、開口部Ｃを閉止する閉止手段３により前記収容部を密閉可能な防水性袋体２と、前記収容部に連通して袋体２の外方へ延びる可撓性管体４と、管体４の自由端に取り付けられた、管路の開閉を行うバルブ５，６を備えた。管体４の自由端側から呼気を吹き込むことにより、使いすてカイロ本体Ａの周囲の収容部内に空気を充満させた状態を保持することができ、水中に袋体２を入れても袋体２が防水性であることから使いすてカイロ本体Ａが濡れることがなく、使いすてカイロ本体Ａ内の鉄粉の酸化発熱反応により、水中でも長時間にわたって継続して使用することができる。【選択図】図２
2012130368.tif 000002
【特許請求の範囲】
【請求項１】
使いすてカイロの本体を収容する収容部並びに前記収容部に使いすてカイロの本体を挿入及び前記収容部から使いすてカイロの本体を取出し可能な開口部を有するとともに、前記開口部を閉止する閉止手段により前記収容部を密閉可能な防水性袋体と、
前記収容部に連通して前記袋体の外方へ延びる可撓性管体と、
前記管体の自由端に取り付けられた、管路の開閉を行うバルブ又は蓋体と、
を備えたことを特徴とする水中カイロ。
【請求項２】
使いすてカイロの本体を収容する収容部並びに前記収容部に使いすてカイロの本体を挿入及び前記収容部から使いすてカイロの本体を取出し可能な開口部を有するとともに、前記開口部を閉止する閉止手段により前記収容部を密閉可能な防水性袋体と、
前記収容部に連通して前記袋体の外方へ延びる可撓性管体と、
前記管体の自由端に取り付けられた、前記袋体に向かう方向へは通気し、その逆方向へは通気しない逆止弁及び前記逆止弁を開放状態にして前記袋体から前記管体へ向かう方向への通気を可能にする逆止弁解除手段と、
を備えたことを特徴とする水中カイロ。
【請求項３】
前記袋体を人体に取り付ける取付手段を備えてなる請求項１又は２記載の水中カイロ。
【発明の詳細な説明】
【技術分野】
【０００１】
本発明は、水中で使用可能なカイロに関するものである。
【背景技術】
【０００２】
使いすてカイロは、鉄粉に、鉄が錆びる速度を速めるための水及び水分を取り込んで保水剤としての役目をするバーミキュライト並びに表面の微孔に空気を取り込んで酸素の供給を促すための活性炭及び酸化の速度を速めるための食塩を混合したものを通気性の内袋に収容した本体を空気の侵入を遮断する外袋に収容して構成され、外装を開封して本体を取り出して使用する際に、空気が内袋内に侵入することにより鉄粉の酸化によって発熱するものである（例えば、特許文献１及び２参照。）。
このような使いすてカイロは、４０℃以上に昇温した状態の持続時間が６〜１８時間程度と長く、非常に使いやすく安価であることから、多方面で広く用いられている。
【先行技術文献】
【特許文献】
【０００３】
【特許文献１】特開平５−２０８０３１号公報
【特許文献２】特開平７−０８００１８号公報
【発明の概要】
【発明が解決しようとする課題】
【０００４】
しかしながら、使いすてカイロには酸化発熱反応を行うために酸素が必要であり、酸素の供給が途絶えたり海水に濡れてしまうと発熱が停止して使いすてカイロが冷たくなってしまうことから、サーフィン、ボディボード、スキューバダイビング、スキンダイビング及びスピアフィッシング等の水中スポーツ並びに素手又は刺突具等の道具を用いて水生動物を捕獲する潜水漁等を行う際における、寒い水中で体を温めるニーズに応える水中カイロにすることはできない。
このような水中カイロとして、飽和水溶液に近い酢酸ナトリウム水溶液を空気の侵入を遮断する袋内に収容して衝撃を与えることにより、酢酸ナトリウム水溶液が凝固して固体になる際に放出される凝固熱を利用するものがあるが、持続時間が２０分〜１時間程度と短いとともに、元の液体に戻すには酢酸ナトリウムの凝固点である５８℃以上にする必要があるため、使い勝手が悪いという問題点がある。
【０００５】
そこで本発明が前述の状況に鑑み、解決しようとするところは、長時間の継続使用が可能な使い勝手の良い水中カイロを提供する点にある。
【課題を解決するための手段】
【０００６】
本願の発明者は、上述のような持続時間が長く、非常に使いやすく安価である使いすてカイロを水中で使用することができるようにするために、使いすてカイロの周囲を空気で満たした状態を水中で保持するとともに約１６％の酸素が含まれている呼気を利用するという着想を得てその具体化を行い、試作評価結果に基づいて本発明を完成するに至った。
すなわち、本発明に係る水中カイロは、前記課題解決のために、使いすてカイロの本体を収容する収容部並びに前記収容部に使いすてカイロの本体を挿入及び前記収容部から使いすてカイロの本体を取出し可能な開口部を有するとともに、前記開口部を閉止する閉止手段により前記収容部を密閉可能な防水性袋体と、前記収容部に連通して前記袋体の外方へ延びる可撓性管体と、前記管体の自由端に取り付けられた、管路の開閉を行うバルブ又は蓋体とを備えたことを特徴とする。
【０００７】
このような構成によれば、使いすてカイロの外装を開封して本体を取り出して袋体の開口部から収容部内に挿入した後、収容部を閉止手段により密閉し、バルブ又は蓋体を操作して管路を開けた状態にして管体の自由端側から呼気を吹き込むことにより、使いすてカイロ本体の周囲の収容部内に空気を充満させることができ、バルブ又は蓋体を操作して管路を閉じた状態にすることにより、収容部内に充満した空気の外部への流出を防止することができる。
【０００８】
このように収容部内に空気を充満させた使用状態では、例えばウェットスーツ内で使用しても使いすてカイロ本体は防水性袋体内にあるため濡れることはなく、使いすてカイロ本体の周囲にある呼気の中には約１６％の酸素が含まれていることから、使いすてカイロ本体内の鉄粉の酸化発熱反応が起こるため、体を継続して温めることができる。
その上、使いすてカイロ本体の周囲の酸素が少なくなって水中カイロの温度が下がった場合には、バルブ又は蓋体を操作して管路を開けた状態にして排気した後に管体の自由端側から再び呼気を吹き込むことにより、使いすてカイロ本体の周囲の収容部内に新しい空気を充満させた状態にすることができることから、使いすてカイロ本体内の鉄粉の酸化発熱反応を促進して温度を上げた状態に容易に戻すことができるため、長時間（収容部内に挿入する使いすてカイロの持続時間）にわたって継続して使用することができる。
【０００９】
また、本発明に係る水中カイロは、前記課題解決のために、使いすてカイロの本体を収容する収容部並びに前記収容部に使いすてカイロの本体を挿入及び前記収容部から使いすてカイロの本体を取出し可能な開口部を有するとともに、前記開口部を閉止する閉止手段により前記収容部を密閉可能な防水性袋体と、前記収容部に連通して前記袋体の外方へ延びる可撓性管体と、前記管体の自由端に取り付けられた、前記袋体に向かう方向へは通気し、その逆方向へは通気しない逆止弁及び前記逆止弁を開放状態にして前記袋体から前記管体へ向かう方向への通気を可能にする逆止弁解除手段とを備えたことを特徴とする。
【００１０】
このような構成によれば、使いすてカイロの外装を開封して本体を取り出して袋体の開口部から収容部内に挿入した後、収容部を閉止手段により密閉し、管体の自由端側から呼気を吹き込むことにより、使いすてカイロ本体の周囲の収容部内に空気を充満させることができ、逆止弁により収容部内に充満した空気の外部への流出を確実に防止することができるとともに、収容部内への空気の吹込みを効率的に行うことができる。
【００１１】
このように収容部内に空気を充満させた使用状態では、例えばウェットスーツ内で使用しても使いすてカイロ本体は防水性袋体内にあるため濡れることはなく、使いすてカイロ本体の周囲にある呼気の中には約１６％の酸素が含まれていることから、使いすてカイロ本体内の鉄粉の酸化発熱反応が起こるため、体を継続して温めることができる。
その上、使いすてカイロ本体の周囲の酸素が少なくなって水中カイロの温度が下がった場合には、逆止弁解除手段を操作して袋体から管体へ向かう方向への通気が可能な状態にして排気した後に管体の自由端側から再び呼気を吹き込むことにより、使いすてカイロ本体の周囲の収容部内に新しい空気を充満させた状態にすることができることから、使いすてカイロ本体内の鉄粉の酸化発熱反応を促進して温度を上げた状態に容易に戻すことができるため、長時間（収容部内に挿入する使いすてカイロの持続時間）にわたって継続して使用することができる。
【００１２】
ここで、前記袋体を人体に取り付ける取付手段を備えてなると好ましい。
このような構成によれば、取付手段により、長時間の継続使用が可能な使い勝手の良い上記水中カイロを人体の温めたい箇所に取り付けて、その状態を保持しながら使用することができる。
【発明の効果】
【００１３】
以上のように、本発明に係る水中カイロによれば、使いすてカイロの外装を開封して本体を取り出して袋体の開口部から収容部内に挿入した後、収容部を閉止手段により密閉し、管体の自由端側から呼気を吹き込むことにより、使いすてカイロ本体の周囲の収容部内に空気を充満させた状態を保持することができ、水中に袋体を入れても袋体が防水性であることから使いすてカイロ本体が濡れることがなく、使いすてカイロ本体内の鉄粉の酸化発熱反応により、水中でも長時間にわたって継続して使用することができるという顕著な効果を奏する。
【図面の簡単な説明】
【００１４】
【図１】本発明の実施の形態１に係る水中カイロの斜視図である。
【図２】同水中カイロの斜視図であり、閉止手段による開口部の閉止を解除して使いすてカイロを収容部に挿入する前の状態を示している。
【図３】同水中カイロの部分縦断側面図であり、（ａ）は第１凹凸係合部及び第２凹凸係合部を係合させた状態を、（ｂ）はさらに第１凹凸係合部と第２凹凸係合部との間からフラップを折り曲げて面ファスナーで本体に固定した状態を示している。
【図４】同水中カイロを使用者に装着した状態を示す部分縦断面図であり、（ａ）は側面図、（ｂ）は背面図である。
【図５】同水中カイロを装着した使用者がサーフボードに乗ってパドリングをしている状態を示す部分縦断側面図である。
【図６】本発明の実施の形態２に係る水中カイロの斜視図である。
【図７】同水中カイロの斜視図であり、閉止手段による開口部の閉止を解除して使いすてカイロを収容部に挿入する前の状態を示している。
【図８】同水中カイロを使用者に装着した状態を示す部分縦断背面図である。
【発明を実施するための形態】
【００１５】
実施の形態１．
図１〜図３に示すように、本発明の実施の形態１に係る水中カイロ１は、使いすてカイロの本体（外装を開封して取り出した本体であり、空気が内袋内に侵入可能な使用状態になったもの。以下において、「カイロ本体」という。）Ａ，…を収容する収容部Ｂ（図３参照。）並びに収容部Ｂにカイロ本体Ａを挿入及び収容部Ｂからカイロ本体Ａを取出し可能な開口部Ｃ（図２参照。）を有するとともに、開口部Ｃを閉止する閉止手段３により収容部Ｂを密閉可能な防水性袋体２と、収容部Ｂに連通して袋体２の外方へ延びる可撓性管体４と、管体４の自由端に取り付けられた、管路の開閉を行うバルブである基体５及び操作体６とを備えたものである。
【００１６】
本実施の形態では、矩形状のカイロ本体Ａの３個を、これらの長辺同士が隣接するように並べて袋体２の収容部Ｂ内に収容する例を示しているが、カイロ本体Ａの個数や収容時の姿勢は、このような例に限定されるものではない。
なお、管路の開閉を行うバルブである基体５及び操作体６に代えて、蓋体を管体４の自由端に嵌合又は螺合させるようにしてよく、このような構成では、管体４の自由端から蓋体を取り外すことにより管路を開くことができ、管体４の自由端に蓋体を取り付けることにより管路を閉じることができる。
【００１７】
ここで、防水性袋体２は、袋状の本体２Ａ及び本体２Ａの開口部Ｃを閉蓋するフラップ２Ｂからなり、これらは、ビニールやゴム等の非透水性のものや、布地の表裏面の少なくとも一方に防水コーティングをしたもの等により形成される。
また、閉止手段３は、袋体２の本体２Ａ上面の開口部Ｃを形成する略環状に繋がった首状部分の内面に取り付けられた下側の第１凹凸係合部７Ａ，７Ｂ及び上側の第２凹凸係合部８Ａ，８Ｂ、並びに、フラップ２Ｂ、本体２Ａ外面の面ファスナー体９Ａ及びフラップ２Ｂ内面の面ファスナー体９Ｂからなり、面ファスナー体９Ａ，９Ｂは、例えば一方がループ状の掛止面で他方がフック状の掛止面であるため、面ファスナー体９Ａ，９Ｂはこれらが当接することにより掛止し固定される。
【００１８】
第１凹凸係合部７Ａ，７Ｂ及び第２凹凸係合部８Ａ，８Ｂは、それぞれ一方が凸条であり他方が前記凸条に係合する凹条であるため、先ず下側の第１凹凸係合部７Ａ，７Ｂを係合させてから上側の第２凹凸係合部８Ａ，８Ｂを係合させることにより、図３（ａ）に示すように二重に封止され、さらに図３（ｂ）に示すように第１凹凸係合部７Ａ，７Ｂと第２凹凸係合部８Ａ，８Ｂとの間からフラップ２Ｂを折り曲げてフラップ２Ｂ内面の面ファスナー体９Ｂを本体２Ａ外面の面ファスナー体９Ａに掛止することにより、開口部２Ａを完全に閉止することができる。
【００１９】
さらに、可撓性管体４は、ナイロン又はポリウレタン等からなり、継手１３を介して袋体２の本体２Ａに接続され、収容部Ｂに連通する。
さらにまた、バルブである基体５及び操作体６は、通常状態では管路を閉じており、操作体６を基体５に近づけるように弾性付勢力に抗して相対移動させることにより管路を開くことができるため、図１に示す連通孔６Ａから空気を吹き込んだり、あるいは空気を排出することができる、また、操作体６の操作を止めると、前記弾性付勢力により操作体６が通常位置に復帰するためバルブが管路を閉じた状態に戻る。
【００２０】
以上のような構成の水中カイロ１によれば、カイロ本体Ａを袋体２の開口部Ｃから収容部Ｂ内に挿入した後、収容部Ｂを閉止手段３により密閉し、操作体６又は蓋体を操作して管路を開けた状態にして管体４の自由端側（例えば連通孔６Ａ）から呼気を吹き込むことにより、カイロ本体Ａの周囲の収容部Ｂ内に空気を充満させることができ、操作体６の操作を停止又は蓋体を操作して管路を閉じた状態にすることにより、収容部Ｂ内に充満した空気の外部への流出を防止することができる。
【００２１】
このように収容部Ｂ内に空気を充満させた使用状態では、図４に示すように、例えば使用者Ｕが着ているウェットスーツＷ内の腰部に水中カイロ１の袋体２を挿入した状態で管体４の自由端（例えば連通孔６Ａ）をウェットスーツＷの首部から外部へ出した状態で使用することができ、図５に示すような使用者Ｕが海面Ｓ上のサーフボードＤに乗ってパドリングをしたり、使用者Ｕが海中に入ったとしても、カイロ本体Ａは防水性袋体２内にあるため濡れることはなく、カイロ本体Ａの周囲にある呼気の中には約１６％の酸素が含まれていることから、カイロ本体Ａ内の鉄粉の酸化発熱反応が起こるため、使用者Ｕの体を継続して温めることができる。
また、カイロ本体Ａの周囲の酸素が少なくなって水中カイロ１の温度が下がった場合には、操作体６又は蓋体を操作して管路を開けた状態にして排気した後に管体４の自由端側から再び呼気を吹き込むことにより、カイロ本体Ａの周囲の収容部Ｂ内に新しい空気を充満させた状態にすることができることから、カイロ本体Ａ内の鉄粉の酸化発熱反応を促進して温度を上げた状態に容易に戻すことができるため、長時間（収容部Ｂ内に挿入するカイロ本体Ａの持続時間）にわたって継続して使用することができる。
【００２２】
実施の形態２．
図６〜図８に示す本発明の実施の形態２に係る水中カイロ１において、実施の形態１の図１〜図５と同一符号は同一又は相当するものであるため、詳細説明を省略する。
本発明の実施の形態２に係る水中カイロ１は、図８に示すように使用者Ｕの首に巻いた状態で使用することができるように袋体２を帯状にするともに、袋体２を首に取り付ける取付手段１０を備えたものであり、袋体２の本体２Ａを横長に形成するとともに、例えば矩形状のカイロ本体Ａの３個を、これらの短辺同士が隣接するように並べて袋体２の収容部Ｂ内に収容している。
横長の袋体２の本体２Ａの長手方向両端部の一方には、取付片１１が延設されてその裏面側に面ファスナー体１２Ａが貼着され、本体２Ａの長手方向両端部の他方の表面側には、面ファスナー体１２Ｂが貼着されており、面ファスナー体１２Ａ，１２Ｂは、例えば一方がループ状の掛止面で他方がフック状の掛止面であるため、袋体２を首に巻いた状態で面ファスナー体１２Ａ，１２Ｂが当接することにより掛止し固定される。
【００２３】
このような構成によれば、取付手段１０（取付片１１及び面ファスナー体１２Ａ，１２Ｂ）により、長時間の継続使用が可能な使い勝手の良い水中カイロ１を、首に巻いた状態を保持しながら使用することができる。
なお、実施の形態１の図１〜図５の構成においても、袋体２を人体に取り付ける取付手段１０を備えるようにしてもよく、このような取付手段１０を備えることにより、水中カイロ１を人体の温めたい箇所に取り付けて、その状態を保持しながら使用することができる。
【００２４】
以上の説明においては、管体４の自由端に管路の開閉を行うバルブ又は蓋体を備える構成を示したが、これらに代えて、管体４の自由端に、袋体２に向かう方向へは通気し、その逆方向へは通気しない逆止弁及びこの逆止弁を開放状態にして袋体２から管体４へ向かう方向への通気を可能にする逆止弁解除手段を備えるようにしてもよい。
このような構成によれば、逆止弁により収容部Ｂ内に充満した空気の外部への流出を確実に防止することができるとともに、収容部Ｂ内への空気の吹込みを効率的に行うことができる。
その上、カイロ本体Ａの周囲の酸素が少なくなって水中カイロ１の温度が下がった場合には、逆止弁解除手段を操作して袋体２から管体４へ向かう方向への通気が可能な状態にして排気した後に管体４の自由端側から再び呼気を吹き込むことにより、カイロ本体Ａの周囲の収容部Ｂ内に新しい空気を充満させた状態にすることができる。
【符号の説明】
【００２５】
Ａ  使いすてカイロの本体
Ｂ  収容部
Ｃ  開口部
Ｄ  サーフボード
Ｕ  使用者
Ｓ  海面
Ｗ  ウェットスーツ
１  水中カイロ
２  袋体
２Ａ  本体
２Ｂ  フラップ
３  閉止手段
４  管体
５  基体（バルブ）
６  操作体（バルブ）
６Ａ  連通孔
７Ａ，７Ｂ  第１凹凸係合部
８Ａ，８Ｂ  第２凹凸係合部
９Ａ，９Ｂ  面ファスナー体
１０  取付手段
１１  取付片
１２Ａ，１２Ｂ  面ファスナー体
１３  継手
【図１】
2012130368.tif 000003
【図２】
2012130368.tif 000004
【図３】
2012130368.tif 000005
【図４】
2012130368.tif 000006
【図５】
2012130368.tif 000007
【図６】
2012130368.tif 000008
【図７】
2012130368.tif 000009
【図８】
2012130368.tif 000010